【手続補正書】
【提出日】平成30年11月5日(2018.11.5)
【手続補正１】
【補正対象書類名】特許請求の範囲
【補正対象項目名】全文
【補正方法】変更
【補正の内容】
【特許請求の範囲】
【請求項１】
ビデオデータを復号する方法であって、前記方法は、
前記ビデオデータのためのクロマサンプリングフォーマットを決定することと、
前記クロマサンプリングフォーマットが４：４：４であることに応答して、ピクチャパラメータセット（ＰＰＳ）中で、前記ＰＰＳを参照する前記ビデオデータのピクチャについて適応色変換が有効にされるかどうかを示すシンタックス要素を受信することと、
適応色変換が有効にされていることに応答して、前記ＰＰＳ中で、１つまたは複数のＰＰＳレベルのオフセット値を受信することと、
適応色変換が有効にされていることに応答して、前記ＰＰＳを参照するスライスのスライスヘッダ中で、１つまたは複数のスライスレベルのオフセット値を受信することと、
前記１つまたは複数のＰＰＳレベルのオフセット値および前記１つまたは複数のスライスレベルのオフセット値に基づいて、前記スライスの１つまたは複数のブロックについての量子化パラメータを決定することと、
前記決定された量子化パラメータに基づいて変換係数を量子化解除することと
を備える、方法。
【請求項２】
前記ビデオデータの１つまたは複数の第２のブロックについて、前記ビデオブロックのためのクロマサンプリングフォーマットが４：４：４以外のクロマサンプリングフォーマットであると決定することと、
前記クロマサンプリングフォーマットが４：４：４以外であることに基づいて、前記第２の１つまたは複数のブロックについて適応色変換が無効にされると決定することと
をさらに備える、請求項１に記載の方法。
【請求項３】
前記第２の１つまたは複数のブロックについて適応色変換が無効にされると決定することは、前記クロマサンプリングフォーマットの指示以外に、適応色変換が無効にされるかどうかを示すシンタックス要素を受信することなしに、前記第２の１つまたは複数のブロックについて適応色変換が無効にされると決定することを備える、請求項２に記載の方法。
【請求項４】
前記１つまたは複数のオフセット値が、第１の色成分についてのオフセット値と、第２の色成分についてのオフセット値と、第３の色成分についてのオフセット値とを備える、請求項１に記載の方法。
【請求項５】
前記量子化パラメータは、第１の色空間の第１の色成分についての量子化パラメータを備え、前記第１の色空間の前記第１の色成分についての前記量子化パラメータを決定することは、
第２の色空間の第１の色成分についての量子化パラメータに前記１つまたは複数のＰＰＳレベルのオフセット値のうちの１つ、および前記１つまたは複数のスライスレベルのオフセット値のうちの１つを加算することによって、前記第２の色空間の前記第１の色成分についての前記量子化パラメータを、前記第１の色空間の前記第１の色成分についての前記量子化パラメータにコンバートすることを備える、
請求項１に記載の方法。
【請求項６】
前記第１の色空間がＲＧＢ色空間を備え、前記第２の色空間がＹＣｂＣｒ色空間を備える、請求項５に記載の方法。
【請求項７】
ビデオデータを復号するためのデバイスであって、前記デバイスは、
ビデオデータメモリ、
１つまたは複数のプロセッサ
を備え、前記１つまたは複数のプロセッサは、
前記ビデオデータのためのクロマサンプリングフォーマットを決定することと、
前記クロマサンプリングフォーマットが４：４：４であることに応答して、ピクチャパラメータセット（ＰＰＳ）中で、前記ＰＰＳを参照する前記ビデオデータのピクチャについて適応色変換が有効にされるかどうかを示すシンタックス要素を受信することと、
適応色変換が有効にされていることに応答して、前記ＰＰＳ中で、１つまたは複数のＰＰＳレベルのオフセット値を受信することと、
適応色変換が有効にされていることに応答して、前記ＰＰＳを参照するスライスのスライスヘッダ中で、１つまたは複数のスライスレベルのオフセット値を受信することと、
前記１つまたは複数のＰＰＳレベルのオフセット値および前記１つまたは複数のスライスレベルのオフセット値に基づいて、前記スライスの１つまたは複数のブロックについての量子化パラメータを決定することと、
前記決定された量子化パラメータに基づいて変換係数を量子化解除することと
を行うように構成された、デバイス。
【請求項８】
前記１つまたは複数のプロセッサは、
前記ビデオデータの１つまたは複数の第２のブロックについて、前記ビデオブロックのためのクロマサンプリングフォーマットが４：４：４以外のクロマサンプリングフォーマットであると決定することと、
前記クロマサンプリングフォーマットが４：４：４以外であることに基づいて、前記第２の１つまたは複数のブロックについて適応色変換が無効にされると決定することと
を行うようにさらに構成された、請求項７に記載のデバイス。
【請求項９】
前記第２の１つまたは複数のブロックについて適応色変換が無効にされると決定するために、前記１つまたは複数のプロセッサは、前記クロマサンプリングフォーマットの指示以外に、適応色変換が無効にされるかどうかを示すシンタックス要素を受信することなしに、前記第２の１つまたは複数のブロックについて適応色変換が無効にされると決定するようにさらに構成された、請求項８に記載のデバイス。
【請求項１０】
前記デバイスが、
集積回路、
マイクロプロセッサ、または
ワイヤレス通信デバイス
のうちの少なくとも１つを備える、請求項７に記載のデバイス。
【請求項１１】
前記デバイスがワイヤレス通信デバイスを備え、
符号化ビデオデータを受信するように構成された受信機
をさらに備える、請求項７に記載のデバイス。
【請求項１２】
前記ワイヤレス通信デバイスが電話を備え、ここにおいて、前記受信機が、ワイヤレス電気通信規格に従って変調された信号中で前記符号化ビデオデータを受信するように構成された、請求項１１に記載のデバイス。
【請求項１３】
前記１つまたは複数のオフセット値が、第１の色成分についてのオフセット値と、第２の色成分についてのオフセット値と、第３の色成分についてのオフセット値とを備える、請求項７に記載のデバイス。
【請求項１４】
前記量子化パラメータは、第１の色空間の第１の色成分についての量子化パラメータを備え、前記１つまたは複数のプロセッサは、
第２の色空間の第１の色成分についての量子化パラメータに前記１つまたは複数のＰＰＳレベルのオフセット値のうちの１つ、および前記１つまたは複数のスライスレベルのオフセット値のうちの１つを加算することによって、前記第２の色空間の前記第１の色成分についての前記量子化パラメータを、前記第１の色空間の前記第１の色成分についての前記量子化パラメータにコンバートすることによって、前記第１の色空間の前記第１の色成分についての前記量子化パラメータを決定すること、
を行うようにさらに構成された、請求項７に記載のデバイス。
【請求項１５】
前記第１の色空間がＲＧＢ色空間を備え、前記第２の色空間がＹＣｂＣｒ色空間を備える、請求項１４に記載のデバイス。
【請求項１６】
ビデオデータを復号するための装置であって、前記装置は、
前記ビデオデータのためのクロマサンプリングフォーマットを決定するための手段と、
前記クロマサンプリングフォーマットが４：４：４であることに応答して、ピクチャパラメータセット（ＰＰＳ）中で、前記ＰＰＳを参照する前記ビデオデータのピクチャについて適応色変換が有効にされるかどうかを示すシンタックス要素を受信するための手段と、
適応色変換が有効にされていることに応答して、前記ＰＰＳ中で、１つまたは複数のＰＰＳレベルのオフセット値を受信するための手段と、
適応色変換が有効にされていることに応答して、前記ＰＰＳを参照するスライスのスライスヘッダ中で、１つまたは複数のスライスレベルのオフセット値を受信するための手段と、
前記１つまたは複数のＰＰＳレベルのオフセット値および前記１つまたは複数のスライスレベルのオフセット値に基づいて、前記スライスの１つまたは複数のブロックについての量子化パラメータを決定するための手段と、
前記決定された量子化パラメータに基づいて変換係数を量子化解除するための手段と
を備える、装置。
【請求項１７】
１つまたは複数のプロセッサによって実行されたとき、前記１つまたは複数のプロセッサに、
前記ビデオデータのためのクロマサンプリングフォーマットを決定することと、
前記クロマサンプリングフォーマットが４：４：４であることに応答して、ピクチャパラメータセット（ＰＰＳ）中で、前記ＰＰＳを参照する前記ビデオデータのピクチャについて適応色変換が有効にされるかどうかを示すシンタックス要素を受信することと、
適応色変換が有効にされていることに応答して、前記ＰＰＳ中で、１つまたは複数のＰＰＳレベルのオフセット値を受信することと、
適応色変換が有効にされていることに応答して、前記ＰＰＳを参照するスライスのスライスヘッダ中で、１つまたは複数のスライスレベルのオフセット値を受信することと、
前記１つまたは複数のＰＰＳレベルのオフセット値および前記１つまたは複数のスライスレベルのオフセット値に基づいて、前記スライスの１つまたは複数のブロックについての量子化パラメータを決定することと、
前記決定された量子化パラメータに基づいて変換係数を量子化解除することと
を行わせる命令を記憶する非一時的コンピュータ可読媒体。